(57)【特許請求の範囲】
【請求項１】
ＰＩＤ制御により温度コントロールされるベルトを備えた定着装置における定着制御方式であって、動作モードごとにＰＩＤ制御のパラメータであるＰＩＤ係数を変更する定着制御方式において、
電源投入（もしくは印刷要求）からリロード温度（印刷前準備温度あるいは印刷可能温度）に到達するまでの状態をウォームアップモードとし、該ウォームアップモード時は、目標温度に対して前記ベルトの実温が離れており、大きく温度変化することを考慮して比例係数を大きくして温度変化に最適とした第１のＰＩＤ係数を用いて温度制御を行い、
印刷を行う時には、外乱による温度変化が激しいことを考慮して温度変化を打ち消すように微分係数を大きくした、前記第１のＰＩＤ係数と異なる第２のＰＩＤ係数を用いて温度制御を行い、
印刷後の待機時には、前記ベルトの実温が安定していて目標温度に近い値にあることを考慮し、目標温度を中心に温度を制御するために積分係数を大きくした、前記第１、第２のＰＩＤ係数と異なる第３のＰＩＤ係数用いて温度制御を行う
ことを特徴とする定着制御方式。
【請求項２】
請求項１の定着制御方式において、連続印刷を行う時には、該連続印刷の途中から制御周期を長くなるように変更することを特徴とする定着制御方式。
【請求項３】
請求項２の定着制御方式において、前記制御周期の変更に伴い、前記第２のＰＩＤ係数も同時に変更することを特徴とする定着制御方式。
【請求項４】
請求項２の定着制御方式において、制御周期の長さを任意に選択可能としたことを特徴とする定着制御方式。
【請求項５】
請求項１から４のいずれかの定着制御方式において、
印刷要求からリロード温度（印刷前準備温度あるいは印刷可能温度）に到達し、一定時間経過後に元のリロード温度よりも低い目標温度に変更する
ことを特徴とする定着制御方式。
【請求項６】
ＰＩＤ制御により温度コントロールされるベルトを備え、請求項１から５のいずれかの定着制御方式を実施可能な手段を有することを特徴とする定着装置。
【請求項７】
請求項６の定着装置を有することを特徴とする画像形成装置。
【発明の詳細な説明】
【技術分野】
【０００１】
本発明は、画像形成装置用の定着装置の制御に関する。
【背景技術】
【０００２】
従来、電子写真方式を利用した画像形成装置では、例えば、像担持体である感光ドラムの表面に静電潜像を形成し、この感光ドラム上の静電潜像を現像剤であるトナー等によって現像して可視像化し、現像された画像を転写装置により記録紙に転写して画像を担持させ、圧力や熱等を用いる定着装置によって記録紙上のトナー画像を定着させ、画像を定着された記録紙を排紙経路を通して装置外に排出する構成になっているものが多い。
【０００３】
このような画像形成装置に用いる定着装置には、対向するローラもしくはベルトもしくはそれらの組み合わせによりなる定着回転体が配置されており、記録紙を挟みこみ、熱および圧力を加え、前記トナー像を記録紙上に定着するものがある。
【０００４】
この種の定着装置の定着回転体は、例えば、加熱手段である加熱ヒータを有した加熱ローラと、表層にゴム層が設けられた定着ローラを内包した定着ベルト（定着体）と、定着ベルトに当接する加圧ローラ（加圧体）が配置されている。定着装置に到達したトナー転写済みの記録紙は、定着ベルトと加圧ローラのニップに入り、記録紙が定着ニップを通過する過程で、転写されたトナー像が加熱および加圧され、定着される。
【０００５】
前記のように画像形成装置に用いられる定着装置にベルト（以下、定着ベルトという）を用いた方式が知られているが、この方式による問題として温度リップルがある。これは、図６に示すように、目標温度に対して実温が上下にずれている状態である。リップルが大きいと、ホットオフセットやコールドオフセット、光沢度変動などの問題が発生する。
【０００６】
ローラ方式の定着装置がローラの中心にヒータを有していて全体が温まるのに対し、ベルト方式は定着ベルトを局所的に温めることになるため、定着ベルトを回転させながら全体を温めるように制御している。一般に、定着ベルトは、ローラ方式の定着装置における定着ローラよりも熱容量が小さいので、熱しやすく、かつ、冷めやすい。そのためローラ方式よりも温度の起伏が激しく、温度リップルが発生しやすい。
【０００７】
できるだけ温度リップルを低減するための制御方式としてＰＩＤ制御を行う定着方式が提案されている（特許文献１参照）。この制御による温度コントロールは、ＰＩＤ係数と呼ばれるパラメータを定めると、ＰＩＤ制御のアルゴリズムにより計算された点灯デューティーが決定する。そこで任意に定められた制御周期を前記点灯デューティーで通電させることにより、熱源のオン／オフがコントロールされ、非加熱体が温度制御される。なお従来行われているＰＩＤ制御は通常のように制御周期が一定であることが多い（図７参照）。
【特許文献１】特開平１０−１４６９９３号公報
【発明の開示】
【発明が解決しようとする課題】
【０００８】
しかしながらＰＩＤ制御では、一定時間内（例えば１秒間）に発熱ヒータへの電源のオン／オフ制御が多数回周期的に繰り返されるので、比較的大きな通電電流の通電・非通電の変化が多数回行われる。このとき供給される電圧が変化し、この電圧の変化が電源に対する電圧変動を招くという不具合が知られている。
【０００９】
そこで特許文献１では、印刷時はＰＩＤ制御を行い、待機時はヒステリシス制御を行うなどの手段により、かかる問題を解決する方法が考えられたのであるが、近年ウォームアップ時間の短縮や印刷速度のスピードアップ等の要望があり、ヒータの出力を増加させる、または、通紙線速を上げるなどの手段が講じられるようになってきた。そして、ヒータの出力が上がることにより、目標温度に達するように温度を上げていったときのオーバーシュートが大きくなったり、単位時間あたりの通紙枚数が多くなったり、熱の収支が短い時間で行われるなどの影響が加わり、ますます温度リップルが大きくなるという問題が生じている。そして、既述のように、リップルが大きいとホットオフセットやコールドオフセット、光沢度変動などの問題が発生するので、このような問題を解決するには制御周期を短くする（例えば、０．２秒間）などの手段があるが、単純にそのような手段を採用してしまうと、オンオフの回数が増え、前記電圧変動が許容できないレベルまで悪化するという問題が発生する。
【００１０】
そこで、本発明では、前記問題を解決するための定着制御方法と、これを実施可能な定着装置、及びこのような定着装置を備える画像形成装置を提案するものである。
【課題を解決するための手段】
【００１１】
本発明の請求項１に係る定着制御方式は、ＰＩＤ制御により温度コントロールされるベルトを備えた定着装置における定着制御方式であって、動作モードごとにＰＩＤ制御のパラメータであるＰＩＤ係数を変更する定着制御方式において、電源投入（もしくは印刷要求）からリロード温度（印刷前準備温度あるいは印刷可能温度）に到達するまでの状態をウォームアップモードとし、該ウォームアップモード時は、目標温度に対して前記ベルトの実温が離れており、大きく温度変化することを考慮して比例係数を大きくして温度変化に最適とした第１のＰＩＤ係数を用いて温度制御を行い、印刷を行う時には、外乱による温度変化が激しいことを考慮して温度変化を打ち消すように微分係数を大きくした、前記第１のＰＩＤ係数と異なる第２のＰＩＤ係数を用いて温度制御を行い、印刷後の待機時には、前記ベルトの実温が安定していて目標温度に近い値にあることを考慮し、目標温度を中心に温度を制御するために積分係数を大きくした、前記第１、第２のＰＩＤ係数と異なる第３のＰＩＤ係数用いて温度制御を行うことを特徴とする。
【００１２】
本発明の請求項２に係る定着制御方式は、請求項１の定着制御方式において、連続印刷を行う時には、該連続印刷の途中から制御周期を長くなるように変更することを特徴とする。
【００１３】
本発明の請求項３に係る定着制御方式は、請求項２の定着制御方式において、前記制御周期の変更に伴い、前記第２のＰＩＤ係数も同時に変更することを特徴とする。
【００１４】
本発明の請求項４に係る定着制御方式は、請求項２の定着制御方式において、制御周期の長さを任意に選択可能としたことを特徴とする。
【００１５】
本発明の請求項５に係る定着制御方式は、請求項１から４のいずれかの定着制御方式において、印刷要求からリロード温度（印刷前準備温度あるいは印刷可能温度）に到達し、一定時間経過後に元のリロード温度よりも低い目標温度に変更することを特徴とする。
【００１６】
本発明の請求項６に係る定着装置は、ＰＩＤ制御により温度コントロールされるベルトを備え、請求項１から５のいずれかの定着制御方式を実施可能な手段を有することを特徴とする。
【００１７】
本発明の請求項７に係る定着装置は、請求項６の定着装置を有することを特徴とする。
【発明の効果】
【００１８】
本発明は、ＰＩＤ制御の動作モードにあわせて最適化されたＰＩＤ係数を使い分けることで、制御効率を上げ、無駄な点灯を減らし、従来の定着制御に関する前記ホットオフセットやコールドオフセット、光沢度変動、電圧変動など問題を解決できる。
【発明を実施するための最良の形態】
【００１９】
以下本発明を実施するための最良の形態を、図に示す実施例を参照して説明する。
【実施例１】
【００２０】
図１は本発明が適用可能な画像形成装置である。本発明は、画像形成装置はモノクロ用でもカラー用でもどちらでもが適用可能であるが、ここではカラーレーザープリンタを例にとって以下説明する。
【００２１】
図示の画像形成装置は、ローラ１ａ、１ｂに掛け回した中間転写ベルト１３を有する転写ベルトユニット１と、４つの画像ステーション１０１Ｙ、１０１Ｃ、１０１Ｍ、１０１Ｋが配置され、各画像ステーションには像担持体（以降は感光体ドラム）として２１Ｙ、２１Ｃ、２１Ｍ、２１Ｋをそれぞれ有し、その周りには専用の帯電装置、現像装置、クリーニング装置１０Ｙ、１０Ｃ、１０Ｍ、１０Ｋを有している。図中１２は中間転写ベルト１３のクリーニング装置である。
【００２２】
図中２Ｙ、２Ｃ、２Ｍ、２Ｋは、トナーを補給するトナーボトルであり、図中左からイエロー（Ｙ）、シアン（Ｃ）、マゼンタ（Ｍ）、黒（Ｋ）のトナーが充填されており、ここから図示しない搬送経路によって、所定の補給量だけ各色の現像装置に補給される。
【００２３】
なお図中３は排紙ローラ対、４は定着装置、５は中間転写ベルト１３を挟んでローラ１ｂに対向圧接する加圧ローラ、６はレジストローラ対、７は給紙カセット８から最上位の記録紙Ｐを呼び出して搬送するための呼び出しローラ、９は光書込み装置である。これらは周知の構成品であるので詳細な説明は省略する。また記録紙Ｐの搬送ローラ等は図示を省略してある。
【００２４】
図２は、図１で示したような画像形成装置に採用可能な本発明に係る定着装置４の一実施例の構成を示す図である。本実施例の定着装置４は、装置内に定着体としての定着ローラ１ｘと、加圧体としての加圧ローラ１ｙ及び加熱体としての加熱ローラ１ｚを有し、定着ローラ１ｘと加熱ローラ１ｚの間に定着ベルト１ｊが掛け回してある。なお本発明は、加熱側、加圧側のいずれか一方でもベルトを含む構成であれば適用可能であるが、本実施例では図示のように加圧ローラ１ｙに定着ローラ１ｘを内包する定着ベルト１ｊが当接している場合の例である。
【００２５】
加圧ローラ１ｙは、アルミ又は鉄等の芯金の上にシリコーンゴムなどの弾性層を設けてあり、表層はＰＦＡやＰＴＦＥの離型層となっている。定着ベルト１ｊはニッケル、ポリイミドなどの基材にＰＦＡやＰＴＦＥなどの離型層を有するもの、または、その中間にシリコーンゴムなどの弾性層を設けたもので構成されている。定着ベルト１ｊは定着ローラ１ｘと加熱ローラ１ｚに掛け渡されており、外部からスプリング１ｋとテンションローラ１ｇとで適切な張力に保たれている。定着ローラ１ｘは金属の芯金にシリコーンゴムを有したものである。加熱ローラ１ｚはアルミ、又は、鉄の中空ローラで内部に熱源としてハロゲンヒータなどのヒータ１ｆを有している。熱源はハロゲンヒータでなく、ＩＨを用いても良い。図中１ｓはサーミスタであり、加熱ローラ１ｚの部位での温度によりヒータ１ｆへの電源供給のオン、オフ動作を行うようになっている。
【００２６】
このような構成の定着装置では、記録紙Ｐは定着ローラ１ｘと加圧ローラ１ｙにより形成されるニップに向かって図の下方の給紙カセット８側からの搬送経路に沿って進入する。定着ローラ１ｘと加圧ローラ１ｙは、ニップ部において所定の熱と圧力を与えて記録紙Ｐにトナー画像を定着させ、分離爪１ｃによりガイドされて上方に搬送される。なお、分離爪１ｃに代えて分離板を用いることも出来る。
【００２７】
さらに詳細に説明すると、記録紙Ｐが給紙カセット１より給紙ローラ３でフィードされ、記録紙Ｐの先端がレジストローラ対６まで到達すると、図示しないセンサによって検知され、この検出信号でタイミングを取りながら、レジストローラ対４によって記録紙Ｐを２次転写ローラである加圧ローラ５と中間転写ベルト１３を介した定着ローラ１ｂのニップ部に搬送する。
【００２８】
あらかじめ帯電装置によって一様に帯電された感光体ドラム２１Ｙ、２１Ｃ、２１Ｍ、２１Ｋは、光書込み装置９によりレーザー光にて露光走査され、感光体ドラム２１Ｙ、２１Ｃ、２１Ｍ、２１Ｋ上に静電潜像が作られる。各静電潜像は、それぞれ各色の現像装置より現像され、感光体ドラム２１Ｙ、２１Ｃ、２１Ｍ、２１Ｋ表面にはイエロー、シアン、マゼンタ、黒のトナー像が形成される。
【００２９】
次に１次転写ローラ１１Ｙ、１１Ｃ、１１Ｍ、１１Ｋに電圧が印加され、感光体ドラム２１Ｙ、２１Ｃ、２１Ｍ、２１Ｋ上のトナーが、中間転写ベルト１３上に順次転写されていく。この時各色の作像動作は、そのトナー像が中間転写ベルト１３の同じ位置に重ねて転写されるように、上流側から下流側に向けてタイミングをずらして実行される。
【００３０】
中間転写ベルト１３上に形成された画像は、２次転写ローラ５の位置まで搬送され、上述のようにして記録紙Ｐに２次転写される。各色のトナー像が転写された記録紙Ｐは、定着装置４に搬送され、これも上述のようにして画像を熱定着され、排紙ローラ対３を介して装置外へ排紙される。
【００３１】
なお、感光体ドラム２１Ｙ、２１Ｃ、２１Ｍ、２１Ｋ上の残留トナーは、それぞれのクリーニング装置１０Ｙ、１０Ｃ、１０Ｍ、１０Ｋでクリーニングされ、その後、直流に交流成分のバイアスが重畳印加された帯電装置によって除電と同時に帯電され、次の作像に備える。また、中間転写ベルト１３上の残留トナーは、クリーニング装置１２によってクリーニングされ、次の作像工程に備える。
【００３２】
ところで従来、このような定着装置の場合は印刷要求に応じてヒータ１ｆに電力が投入され、所定の印刷可能温度（リロード温度）となった後に通紙を開始し、図３のような温度変化をする（このとき目標温度に対して実温がオーバーシュートやアンダーシュートしている温度プロファイルを総じて温度リップルと呼ぶ）。ベルト定着装置では、非加熱体のベルトがローラ定着方式の定着ローラよりも熱容量が小さく、また、局部加熱を行っているため、より温度リップルが大きくなる傾向にある。
【００３３】
そこで本実施例では以下のような制御を行う。
通常の印刷プロセスでは（ウォームアップ→印刷→待機）を繰り返す。このとき、ウォームアップ時は目標温度に対して実温が離れており、大きく温度変化するため、比例係数を大きくするのがよい。印刷時は外乱による温度変化が激しいので温度変化を打ち消すように微分係数を大きくするのが良い。また待機時は安定しており、実温は目標温度に近い値にあるので、目標温度を中心に温度を制御するように積分係数を大きくとれば良い。しかしながら、これらのモードを１つのＰＩＤ係数で制御しようとすると、それぞれのモードに対しては最適な係数とならないため温度制御の効率が悪くなる。つまり、ヒータ１ｆを点灯させすぎたり、消灯しすぎたりするので温度リップルが大きくなる。
【００３４】
そこで図３に示すように、電源投入（もしくは印刷要求）からリロード温度に到達するまでの状態をウォームアップモードとし、その温度変化に最適なＰＩＤ係数[１]を用いて点灯制御を行い、同様に印刷中はＰＩＤ係数[２]、印刷後の待機時はＰＩＤ係数[３]といったようにモードごとに切り替える。このような制御を行うことにより、ヒータの点灯効率を向上し、ひいては電圧変動を少なくすることが出来る。
【実施例２】
【００３５】
また既述のように従来行われているＰＩＤ制御は制御周期が一定であることが多いが、印刷初期は通常温度リップルが大きいため、制御周期が短いほうがよく、また逆に一定時間経過後は温度が安定してくるので制御周期が長くても温度リップルは小さくなる。そこで図３に示すように、連続通紙の初期を短い制御周期とし（例えば０．２秒周期）、途中から制御周期を長くする（例えば１秒周期）ように変更することで印刷時初期の温度リップルを小さく抑えるとともにヒータの点灯回数を減らし、電圧変動を少なくする。
【実施例３】
【００３６】
また図３のように短い制御周期と長い制御周期のそれぞれに対して最適化されたＰＩＤ係数を使用することもできる。例えば、印刷初期は外乱（紙の突入による温度低下）があり、温度変化が激しいので微分係数を大きくし、制御周期変更後は温度が安定しているので積分係数の比率を大きくする。その結果、印刷時間全体では点灯回数が抑制されたまま、温度リップルを小さくすることが可能となる。
【実施例４】
【００３７】
また例えば、画像形成装置の操作部やプリンターの場合はドライバーの設定などにより制御周期の変更操作が可能であるような調整指示入力部を設けるとき、入力部の指示表示部（画像形成装置の液晶パネルや、ドライバーの操作画面）は画像品質重視か否かを表示し、調整を促しても良い。その結果、例えば画像品質を重視する場合は制御周期を短く、他の電子機器への影響を重んじる場合は制御周期を長くする制御を行える。
【実施例５】
【００３８】
また一般的にＰＩＤ制御は目標温度前にヒータの点灯デューティー（Ｄｕｔｙ）を下げるため、目標温度手前で温度勾配が緩やかになり、スムーズに目標温度に到達する。しかしながら、低温環境で放置された後などは、加熱に要する必要熱量が大きくなり、前記のようなデューティー制御が行われた場合には、図４のように、目標温度に到達する時間が長くなってしまうときがある。つまり、印刷時のファーストプリント時間が長くなるという問題が生じる。しかしながら、このとき実温度はほぼ目標温度に近接しており、目標温度に対し、−１℃〜−３℃のところで推移している。また、このような温度推移の場合、通常よりも長い時間加熱されているので、定着ユニットの蓄熱もあり、−１℃〜−３℃低くても、そのまま通紙動作を開始しても問題のない状態になっている。そこで本実施例では、図５に示すように、印刷要求からリロード温度に到達し、一定時間経過後にリロード温度の目標温度を下げる方法を提案する。例えば１６０℃のリロード温度で、通常ウォームアップ時間が３０秒のマシンの場合、（３０秒以上）例えば５０秒でリロード判断温度をー５℃下げ、１５５℃でリロード完了と判断する。この制御であれば、定着性を満足しつつ、最適なファーストプリント時間で印刷することが可能となる。
【００３９】
すなわち、上述したように、ＰＩＤ制御はＰＩＤ係数というパラメータを決定することにより、計算されるものである。一般に制御対象、例えば定着装置、の構成が異なれば、その制御系に最適化された係数を決定する必要がある。しかしながら、定着装置は２０℃程度の常温から、オーバーシュートを含めて２００℃程度の温度までを短時間で激変するものであるため、１つのＰＩＤの式（係数）だけで制御しようとすると、その係数の最適化が困難である。またＰＩＤ係数の最適化がうまく出来ていないと、無駄な点、消灯が増えることになり、ひいては電圧変動の頻度を増やすことになるので、前記電圧変動の問題を悪化させる要因となる。そこで本発明は、ＰＩＤ制御のパラメータ、すなわちＰＩＤ係数を、ウォームアップ時、印刷時、待機時などのモードごとに変更する。ウォームアップ時は低い温度から温度が一気に目標温度に向かい、印刷時は印刷する用紙が外乱となって温度が常に変動している。また、待機時は温度が安定した一定の温度を保っている。そこで、これらの動作モードにあわせて最適化されたＰＩＤ係数を使い分けることで、制御効率を上げ、無駄な点灯を減らし、前記問題を解決している。
【００４０】
また、温度リップルが大きくなるのは、主に目標温度と被加熱体の温度が乖離しているときである。つまり、ウォームアップ時や連続通紙の初期に温度リップルが大きくなる。逆に連続印刷が続くと温度が安定してくるため、温度リップルは小さくなる傾向にある。そこで本発明は、ベルト定着では初期のリップルがローラ方式に比べてとりわけ大きい点を考慮し、温度リップルの大きい印刷初期の制御周期を小さくし、ある一定枚数を印刷した後に制御周期を長くすることで、温度制御を安定させつつ、電圧変動を少なくしている。
【００４１】
また、印刷初期とある一定枚数印刷した後はＰＩＤ係数の最適値が異なるため、本発明では、それぞれに適したＰＩＤ係数で制御することにより、点灯回数を減らして電圧変動を少なくしている。さらに前記電圧変動は少なければそもそも問題ないのであるが、電源変動が大きい場合であっても、同一コンセントで他の電子機器を使用していない場合は影響を受けることがなくなるため、実仕様上は問題とならない場合がある。つまり、使用環境によっては問題とならない場合がある。そこで、本発明は、制御周期の長さをユーザーまたはサービスマンが定められた範囲内において任意に選択可能とし、使用環境にあわせて使い分けることができるようにしている。このようにすることにより、電圧変動が問題とならないユーザーに対しては制御周期を短くすることで、定着温度が安定するため、より良好な定着性の（または光沢度変動が少ない）画像を出力できるようにしている。
【００４２】
またさらに、ＰＩＤ制御は、単純に目標温度を閾値（スレッシュ）としたＯＮ／ＯＦＦ制御に対して、スムーズに目標温度に近づくようにコントロールすることが可能である。つまり温度リップルが小さい。それは、ＰＩＤ制御のアルゴリズムにより、例えば目標温度に向かって温度が上昇していく場合に目標温度になる前に点灯デューティーを減じて熱源を消灯させはじめるように制御するためである。ところが、場合によっては目標温度に到達する直前で点灯デューティーを下げすぎて、目標温度に対し漸近線を描くように温調されてしまうことがある。このような状態に陥ると、リロード温度になかなか到達しないのでウォームアップ時間が延び、ひいてはファーストプリントタイムが長くなってしまうという不具合が生じる。しかしながら、目標温度に到達していなくとも、実際には、ほとんどリロードに近い値まで昇温しているため、実質的にはリロードと判断しても問題のない状態になっている。そこで本発明は、ある一定時間経過後に目標温度を一段低く切り替えることで、リロード温度になるまでの時間を短縮し、ウォームアップ（またはファーストプリントタイム）を短縮している。
【図面の簡単な説明】
【００４３】
【図１】本発明が適用可能な画像形成装置を示す図
【図２】図１のような画像形成装置に採用可能な本発明に係る定着装置の一実施例の構成を示す図
【図３】温度リップルが生じる定着装置の制御例を示す図
【図４】デューティー制御が行われた場合の制御例を示す図
【図５】リロード要求から一定時間経過後にリロードの目標温度を下げる本発明の制御例を示す図
【図６】定着ベルトというを用いた定着方式による問題としての温度リップルを示す図
【図７】従来行われている制御周期が一定のＰＩＤ制御を示す図
【符号の説明】
【００４４】
１  転写ベルトユニット
１ａ  ローラ
１ｂ  定着ローラ
１ｃ  分離爪
１ｆ  ヒータ
１ｇ  テンションローラ
１ｊ  定着ベルト
１ｋ  スプリング
１ｓ  サーミスタ
１ｘ  定着ローラ
１ｙ  加圧ローラ
１ｚ  加熱ローラ
２Ｙ、２Ｃ、２Ｍ、２Ｋ  トナーボトル
３  排紙ローラ対
４  定着装置
５  加圧ローラ
６  レジストローラ対
７  呼び出しローラ
８  給紙カセット
９  光書込み装置
１０Ｙ、１０Ｃ、１０Ｍ、１０Ｋ  クリーニング装置
１１Ｙ、１１Ｃ、１１Ｍ、１１Ｋ  １次転写ローラ
１２  中間転写ベルトのクリーニング装置
１３  中間転写ベルト
２１Ｙ、２１Ｃ、２１Ｍ、２１Ｋ  感光体ドラム
１０１Ｙ、１０１Ｃ、１０１Ｍ、１０１Ｋ  画像ステーション
Ｐ  記録紙
【図１】
0004716425.tif 000002
【図２】
0004716425.tif 000003
【図３】
0004716425.tif 000004
【図４】
0004716425.tif 000005
【図５】
0004716425.tif 000006
【図６】
0004716425.tif 000007
【図７】
0004716425.tif 000008